(57)【要約】【課題】シンプル、且つ占有スペースをとらないコンパクトな構造でありながら、ギミックの変形による演出に加えて、ハーフミラー、図柄、ＬＥＤを有効に活用して電飾効果を発揮することができる。【解決手段】接近した位置と離間した位置との間を進退自在に支持され、接近位置にあるときに完成体を形成する複数の分割電飾片２２、２３と、該各分割電飾片を接近・離間させる駆動機構５０と、を備え、各分割電飾片は、中空のケース３０と、該ケース前面に配置された視認窓３１と、視認窓の後方に離間配置されたハーフミラー３５と、該視認窓と該ハーフミラーとの間に配置された前部ＬＥＤ４０と、ハーフミラーの後方に配置され任意の図柄を象った透光部材４２と、該透光部材の後方に配置された後部ＬＥＤ４５と、を夫々備えている。【選択図】図２
2011110376.tif 000002
【特許請求の範囲】
【請求項１】
接近した位置と離間した位置との間を進退自在に支持され、接近位置にあるときに完成体を形成する複数の分割電飾片と、該各分割電飾片を接近・離間させる駆動機構と、を備えた電飾装飾体であって、
前記各分割電飾片は、中空のケースと、該ケース前面に配置された視認窓と、該視認窓の後方に離間配置されたハーフミラーと、該視認窓と該ハーフミラーとの間に配置された前部ＬＥＤと、該ハーフミラーの後方に配置され任意の図柄を象った透光部材と、該透光部材の後方に配置された後部ＬＥＤと、を夫々備えていることを特徴とする電飾装飾体。
【請求項２】
前記駆動機構は、前記各分割電飾片から夫々延びたアームと、各アームの他端部に一体化されて互いに噛合するギヤ部と、一方のギヤ部を回転させる駆動源と、前記各アームを前記各ギヤ部の軸心を中心として回動自在に軸支すると共に両アームが並行となった状態で所定の方向へ直線的に進退自在にガイドする支持機構と、を備えていることを特徴とする請求項１に記載の電飾装飾体。
【請求項３】
前記後部ＬＥＤを搭載するプリント基板に透光領域を設けたことを特徴とする請求項１、又は２に記載の電飾装飾体。
【請求項４】
請求項１、２、又は３に記載の電飾装飾体と、遊技盤とを備えたことを特徴とする遊技盤ユニット。
【請求項５】
請求項４に記載の遊技盤ユニットを備えたことを特徴とするパチンコ遊技機。
【発明の詳細な説明】
【技術分野】
【０００１】
本発明はシンプル、且つ占有スペースをとらないコンパクトな構造でありながら、電飾機能を備えた装飾体を種々動作、変形させたり、原形に復帰させる等の演出効果を実現することができる電飾装飾体、遊技盤ユニット、及び遊技機に関するものである。
【背景技術】
【０００２】
パチンコ遊技機においては、遊技盤の盤面に入賞口、風車、図柄表示装置、電飾装置等の各種盤面部品を設けて遊技内容の多様性を図っている。そして、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、遊技の進行中における入賞、その他の遊技状態の変化を視覚的に表現、報知したり、遊技進行上での電飾効果を図る等の目的から、遊技盤、可動盤面部品、その他任意の部位にＬＥＤランプやフィラメント式ランプ等の発光装置を配置している（特許文献１、２）。
しかし、例えば役物上に固定配置されたＬＥＤランプを用いた演出としては、せいぜいＬＥＤランプを発光、消灯させるタイミングを種々変化させたり、光量、発光色を変化させる程度であり、多様性ある演出は困難であった。
特許文献３には、反射板に対向してハーフミラーを配置し、光源からの光像に変化をもたらすようにした電飾装置が開示されている。しかし、反射板とハーフミラーによる単純なトリックに過ぎず、これらの特性を十分に活用し切れておらず、光像の変化の程度が低く、演出性に乏しいという欠点を有している。
【先行技術文献】
【特許文献】
【０００３】
【特許文献１】特開２００９−０００３０３公報
【特許文献２】特開２００９−０６６２２１公報
【発明の概要】
【発明が解決しようとする課題】
【０００４】
本発明は上記に鑑みてなされたものであり、従来、反射板に対向してハーフミラーを配置し、光源からの光像に変化をもたらすようにした電飾装置が知られているが、光像の変化の程度が低く、演出性に乏しいという欠点を有している。
本発明は上記に鑑みてなされたものであり、シンプル、且つ占有スペースをとらないコンパクトな構造でありながら、ギミックの変形による演出に加えて、ハーフミラー、図柄、ＬＥＤを有効に活用して電飾効果を発揮することができる電飾装飾体、遊技盤ユニット、及び遊技機に関するものである。
【課題を解決するための手段】
【０００５】
上記目的を達成するため、請求項１の発明に係る電飾装飾体は、接近した位置と離間した位置との間を進退自在に支持され、接近位置にあるときに完成体を形成する複数の分割電飾片と、該各分割電飾片を接近・離間させる駆動機構と、を備えた電飾装飾体であって、前記各分割電飾片は、中空のケースと、該ケース前面に配置された視認窓と、該視認窓の後方に離間配置されたハーフミラーと、該視認窓と該ハーフミラーとの間に配置された前部ＬＥＤと、該ハーフミラーの後方に配置され任意の図柄を象った透光部材と、該透光部材の後方に配置された後部ＬＥＤと、を夫々備えていることを特徴とする。
前部ＬＥＤのみを発光させた場合にはその光はハーフミラーで反射するため、前方からハーフミラーを視認した場合には鏡面として見える。一方、後部ＬＥＤのみを発光させた場合にはハーフミラーと後部ＬＥＤとの間に位置する像を前方から視認することができる。
従って、シンプル且つコンパクトな構成でありながら、各ＬＥＤを点灯制御するだけの操作により、ギミック内に視認される状況を急激に変化させて演出効果を高めることが可能となる。
【０００６】
請求項２の電飾装飾体は、前記駆動機構は、前記各分割電飾片から夫々延びたアームと、各アームの他端部に一体化されて互いに噛合するギヤ部と、一方のギヤ部を回転させる駆動源と、前記各アームを前記各ギヤ部の軸心を中心として回動自在に軸支すると共に両アームが並行となった状態で所定の方向へ直線的に進退自在にガイドする支持機構と、を備えていることを特徴とする。
ギミックを構成する分割電飾片はアームによって支持されており、直線的な進退動作の他に分割電飾片を接近・離間させる動作を実現できる。
請求項３の電飾装飾体は、前記後部ＬＥＤを搭載するプリント基板に透光領域を設けたことを特徴とする。
透光部材の後方に配置されるプリント基板に透光領域を設けて電飾装飾体の背面側に位置する他の盤面部品を視認するように構成した。これにより、背面側の盤面部品の動作、映像とのコラボレーションを実現することが可能となる。
請求項４の発明に係る遊技盤ユニットは、請求項１、２、又は３に記載の電飾装飾体と、遊技盤とを備えたことを特徴とする。
請求項５の発明に係るパチンコ遊技機は、請求項４に記載の遊技盤ユニットを備えたことを特徴とする。
【発明の効果】
【０００７】
本発明によれば、シンプル、且つ占有スペースをとらないコンパクトな構造でありながら、ギミックの変形による演出に加えて、ハーフミラー、図柄、ＬＥＤを有効に活用して電飾効果を発揮することができる。即ち、前部ＬＥＤのみを発光させた場合にはその光はハーフミラーで反射するため、前方からハーフミラーを視認した場合には鏡面として見える。一方、後部ＬＥＤのみを発光させた場合にはハーフミラーと後部ＬＥＤとの間に位置する像を前方から視認することができる。従って、シンプル且つコンパクトな構成でありながら、各ＬＥＤを点灯制御するだけの操作により、ギミック内に視認される状況を急激に変化させて演出効果を高めることが可能となる。
【図面の簡単な説明】
【０００８】
【図１】本発明の電飾装飾体を搭載したパチンコ遊技機の正面図である。
【図２】（ａ）及び（ｂ）は本発明に係る電飾装飾体の構成を示す正面側斜視図及び背面側斜視図である。
【図３】電飾装飾体の正面側分解斜視図である。
【図４】電飾装飾体の要部分解斜視図である。
【図５】（ａ）及び（ｂ）は電飾装飾体を構成する両分割電飾片の閉止状態の正面図である。
【図６】（ａ）（ｂ）及び（ｃ）は電飾装飾体を構成する両分割電飾片の開放状態の正面図である。
【図７】（ａ）（ｂ）及び（ｃ）は電飾装飾体の開閉動作を説明するための背面図である。
【図８】配線状態を示す説明図である。
【図９】（ａ）及び（ｂ）は分割電飾片の内部構造を説明するための斜視透視図、及び側部縦断面図である。
【図１０】（ａ）及び（ｂ）は本発明の他の実施形態に係る電飾装飾体の構成を示す正面図、及び背面図である。
【図１１】図１０（ｂ）の要部拡大図である。
【図１２】本発明の分解斜視図である。
【図１３】（ａ）及び（ｂ）は本発明の電飾装飾体の他の構成例を示す正面図、及び側部縦断面図である。
【発明を実施するための形態】
【０００９】
以下、本発明を図面に示した実施の形態により詳細に説明する。
図１は本発明の電飾装飾体を搭載したパチンコ遊技機の正面図である。
パチンコ遊技機１は、矩形形状の枠２を有し、この枠２の窓孔に対して表側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。またガラス枠の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
【００１０】
遊技盤３の略中央に設けた開口３ａ内には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄表示装置９の下方には、図柄表示装置９の特別図柄を可変表示させるための可変入賞装置１１が設けられている。
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
【００１１】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
遊技盤面上の適所、本実施形態では、開口３ａ内の図柄表示装置９の前方にハートを象った電飾装飾体２０が配置されている。
【００１２】
図２（ａ）及び（ｂ）は本発明に係る電飾装飾体の構成を示す正面側斜視図及び背面側斜視図であり、図３は電飾装飾体の正面側分解斜視図であり、図４は電飾装飾体の要部分解斜視図であり、図５（ａ）及び（ｂ）は電飾装飾体を構成する両分割電飾片の閉止状態の正面図であり、図６（ａ）（ｂ）及び（ｃ）は電飾装飾体を構成する両分割電飾片の開放状態の正面図であり、図７（ａ）（ｂ）及び（ｃ）は電飾装飾体の開閉動作を説明するための背面図であり、図８は配線状態を示す説明図であり、図９（ａ）及び（ｂ）は分割電飾片の内部構造を説明するための斜視透視図、及び側部縦断面図である。
電飾装飾体２０は、図２、図５に示した接近した位置と図６に示した離間した位置との間を進退自在に支持され、接近位置にあるときにギミック完成体２１を形成する複数の分割電飾片（分割ギミック片）２２、２３と、各分割電飾片２２、２３を一定の軌道に沿って接近・離間させる駆動機構５０と、を備えている。
本例に係るギミック完成体２１は、正面形状がハート形であり、個々の分割電飾片２２、２３は、ハート形のギミック完成体２１を不定形状の線に沿って２つに分割した形状を有している。従って、２つの分割電飾片が離間している場合にはまとまった形態を有したギミックというイメージはないが、各分割電飾片２２、２３の内側端面を接合させることによってハート形のギミック完成体２１が形成される。
【００１３】
各分割電飾片２２、２３は、図９に示すように中空のケース３０と、ケース３０の前面開口に配置されてケース内部を前方から視認するための視認窓３１と、視認窓３１の後方のケース内部に離間配置されたハーフミラー３５と、視認窓３１とハーフミラー３５との間のケース内壁に配置されてハーフミラー３５の前面側を照明する前部ＬＥＤ４０と、ハーフミラー３５の後方に配置され任意の図柄を表示した透光部材４２と、透光部材４２の後方に配置されたプリント基板４６上に搭載されて透光部材を背面から照明する後部ＬＥＤ４５と、中空ケース３０の背面開口を閉止する蓋４７と、を夫々備えている。
本発明の電飾装飾体を適用するパチンコ遊技機は、例えば、ＴＶドラマ「冬ソナ」をテーマとしており、各分割電飾片２２、２３内の透光部材４２上の絵柄４２ａを雪だるまとすることによって、このドラマに登場する男女二人の主人公を２体の雪だるまとして表現している。２つの電飾装飾体を離間させたり接近させることにより、離ればなれになっていた二人が出合うシーンを表現することができる。
駆動機構５０は、遊技機側に設けた前板８０と、後板８１との間に配置されている。駆動機構５０は、各分割電飾片２２、２３のケース３０から一体的に下方に延びたアーム５１、５２と、アーム５１、５２の下端部に一体化されて互いに噛合するギヤ部５３、５４と、一方のギヤ部５３の軸心部に固定された操作レバー５５と、アーム５１、５２を各ギヤ部５３、５４の軸心を中心として回動自在に軸支すると共に両アーム５１、５２が並行（縦向き）となった状態で上下方向へ進退自在にガイドする支持機構６０と、を備えている。
【００１４】
支持機構６０は、後板８１の前面に両端部を固定されてその中間部によって各アーム５１、５２の開閉動作をガイドすると共に、両端部のストッパ６１ａによって各アームの開放限界位置を規定する第１の固定ガイド部材６１と、第１の固定ガイド部材６１の下方において後板８１の前面に固定された断面コ字状の第２の固定ガイド部材６５と、第２の固定ガイド部材６５によって上下方向へ進退自在に支持された可動ガイド部材７０と、を有する。第２の固定ガイド部材６５はその前面に上下方向へ延びる長穴６６を有しており、この長穴６６内に可動ガイド部材７０の前面から突設した下部突起７０ａを上下方向へ移動自在に支持することにより、可動ガイド部材７０は第２の固定ガイド部材６５の内壁に沿って安定して上下動することができる。
各アーム５１、５２の下端部に設けた各ギヤ部５３、５４は、その軸穴５３ａ、５４ａ内に可動ガイド部材７０の背面上部に設けた突起状の回動軸７０ｂ、７０ｃを遊嵌することにより、可動ガイド部材によって回動自在に支持される。
ギヤ部５３と一体化される操作レバー５５は、後板８１の後方に配置する必要があるため、後板８１に設けた縦長の長穴８１ａ内に後方から操作レバーの先端部を遊嵌してギヤ部５３と結合させることによって操作レバーの大半を後板の後方に位置させて、操作レバーがギヤ部５３と一体的に上下動できるようにしている。ギヤ部５３は可動ガイド部材７０を介してギヤ部５４と連結されているため、操作レバー５５は、可動ガイド部材に支持されたアーム５１、５２及び分割電飾片２２、２３と共に上下動することができる。
【００１５】
図５（ａ）に示すように、可動ガイド部材の下部突起７０ａが長穴６６の最下部に位置している時に両分割電飾片２２、２３は最下降位置にあり、図５（ｂ）に示すように可動ガイド部材の下部突起７０ａが長穴６６の最上部に位置している時に両分割電飾片２２、２３は最上昇位置にある。両分割電飾片２２、２３が図５（ａ）に示した最下降位置にある時であっても、各アーム下端（アーム他端）のギヤ部５３、５４は第２の固定ガイド部材６５による干渉を受けずに回動することができる。このように、可動ガイド部材７０の上下方向位置に関係なくアームは開閉動作を行うことができる。
アーム５１、５２を開閉動作させる場合には、操作レバー５５をモータ、或いはソレノイド（駆動源）によって回動させて一方のギヤ部５３を回動させることによって、ギヤ部５４を連動させることができ、その結果、両アームを同期して開閉させることができる（図６、図７）。
各分割電飾片２２、２３は、図９に示すように凸レンズ等から成る視認窓３１の後方にハーフミラー３５を備えている。ハーフミラー３５は、周知のように反射光と透過光の強さがほぼ１：１であり、ハーフミラーの片面側の照明を明るくする一方で他面側を暗くすると、照明が明るい側から遊技者がハーフミラー面を見た場合にはミラーとして見え（奥部を視認できず）、暗い面側から見た場合には明るい側を透過して見ることができる。
【００１６】
前部ＬＥＤ４０だけを点灯しているとき、或いは前部ＬＥＤと後部ＬＥＤ４５を消灯している時には、視認窓を通して視認されるハーフミラー３５の面は鏡面として認識され、奥部を視認することはできない。
一方、ハーフミラー３５の後方に位置する後部ＬＥＤ４５だけを発光させた場合には、後方から前方へ向けて光が照射されるため、ハーフミラー３５を介してその奥部に位置する透光部材４２上の図柄を前方から視認することができる。
なお、ハーフミラー５０は厳密な意味で透過させる光量と反射させる光量が同等である必要はなく、後部ＬＥＤ４５からの光の一部がハーフミラーから前方に出射される構成であればよい。
透光部材４２上には、例えば雪だるまを象った絵柄４２ａを表示する。絵柄の表示方法としては、例えばインク等の印刷、絵柄を印刷したシートの貼付、透光部材を構成する樹脂板面に刻印する等の方法を挙げることができる。この絵柄４２ａは、後部ＬＥＤ４５から光を照射したときにハーフミラー３５を介して前方から絵柄が視認される状態であればどのような形成方法であってもよい。
各分割電飾片２２、２３内の前部ＬＥＤ４０及び後部ＬＥＤ４５に対する給電は、図８に示すように後板８１に形成した開口８１ｂを介して制御装置から導入されたケーブルＣを各アーム５１、５２に沿って配線した上で、各分割電飾片２２、２３内の前部ＬＥＤ４０、後部ＬＥＤ４５と接続することにより実現する。
【００１７】
次に、図１、図５乃至図７に基づいて本発明の電飾装飾体の動作について説明する。
まず、図１中に示すように電飾装飾体２０のギミック完成体２１は、開口部３ａの下縁から更に下降することによって開口部から没した状態と、最下降位置から上昇することによって破線で示した中間位置に達した状態と、更に上昇することによって実線で示した最上昇位置に達した状態の各状態の間を昇降することができる。また、各状態において駆動機構５０を作動させて分割電飾片２２、２３を開閉動作させることができる。
具体的にはギミック完成体２１が図５（ａ）に示した最下降位置にある時には、ギミック完成体２１は遊技盤面の開口部３ａから退避した位置にあり、図５中に図示しない中間位置に上昇したときには開口部３ａの下縁に沿った突出位置にあり、更に図５（ｂ）に示した上昇位置にある時には開口部の上方位置に達する。
なお、図５（ａ）の状態では後部ＬＥＤ４５が消灯状態にあり、且つ前部ＬＥＤ４０が発光した状態にあるため、前方の遊技者からはハーフミラー３５が鏡面として認識されており、内部の絵柄４２ａを視認することはできない。一方、図５（ｂ）の状態では後部ＬＥＤ４５が発光しており、透光部材４２上の絵柄４２ａが明確に視認される。このように同じギミック完成体の内部の状況が鏡面状態から突然絵柄４２ａが表示された状態に移行するため、意外性を有した演出を実現できることとなる。
【００１８】
次に、図６は駆動機構５０によってアーム５１、５２を開放させる動作を示した正面図であり、モータ等の駆動源によって操作レバー５５を開放方向へ回動させると、図６（ａ）から（ｂ）のように各アームが開放して各アーム先端の分割電飾片２２、２３が離間方向へ移動する。各アーム５１、５２が両ストッパ６１ａに当接することにより開放方向への動作が中止される。その後、操作レバー５５を閉止方向へ回動させると、図６（ｃ）に示すように各アーム５１、５２が閉止方向へ移動し、最後に各分割電飾片が図５に示した接合した状態に戻る。図６（ａ）（ｂ）では後部ＬＥＤ４５が発光した状態にあり、（ｃ）では後部ＬＥＤが消灯し、且つ前部ＬＥＤ４０が発光した状態にある。
なお、図７の背面図に示すように、駆動機構５０は、図７（ａ）（ｂ）の最下降位置においても、或いは（ｃ）の最上昇位置においても、操作レバー５５を開放方向へ操作することにより、ギヤ部５３、５４を回動させてアーム５１、５２を開放動作させることができる。
【００１９】
次に、図１０（ａ）及び（ｂ）は本発明の他の実施形態に係る電飾装飾体の構成を示す正面図、及び背面図であり、図１１は図１０（ｂ）の要部拡大図であり、図１２はその分解斜視図である。なお、図１乃至図９と同一部分には同一符号を付して説明する。
この実施形態に係る電飾装飾体２０は、アーム５１、５２（分割電飾片）を昇降させつつ開閉するための駆動機構５０の構成に特徴がある。この駆動機構５０は、昇降用のモータ９０と、モータ９０の出力ギヤ９１と噛合するラックギヤ７２を備えた可動ガイド部材７１と、可動ガイド部材７１に搭載されて一方のアーム５１のギヤ部５３を駆動する回動用モータ９５と、を備えた点が特徴的である。
昇降用のモータ９０は、可動ガイド部材７１を昇降させる手段であり、後板８１の背面側に固定されると共にその出力ギヤ９１を後板に設けた開口８１ｃを介して前方へ突出させている。第２の固定ガイド部材６５は厚肉の壁部６５ａを後板８１の前面に固定されており、他方の壁部６５ｂは短尺である。可動ガイド部材７１は壁部６５ｂと同じ側の端縁にラックギヤ７２を有しており、このラックギヤ７２は後板８１に固定された第２の固定ガイド部材６５の壁部６５ｂと後板との間の隙間から外部に露出（突出）している。このため、モータ９０の出力ギヤ９１はラックギヤ７２と噛合することができ、出力ギヤ９１の正逆回転時に可動ガイド部材７１は第２の固定ガイド部材６５に沿って昇降することができる。第２の固定ガイド部材６５は、上下方向へ延びる長穴６６を有しており、この長穴６６内に可動ガイド部材７１の前面から突設した下部突起７１ａを遊嵌させることにより可動ガイド部材の上下方向移動を安定化させている。
【００２０】
後板８１の背面側に配置された回動用モータ９５は、後板８１に形成した上下方向へ延びる長穴８１ｄを介して可動ガイド部材７１の背面に螺子止め固定されており、可動ガイド部材７１の背面によって下端部（軸穴５３ａ、５４ａ）を回動自在に軸支されたアーム５１、５２の各ギヤ部５３、５４の一方と出力ギヤ５６が噛合することにより、両アームを開閉動作させることができる。なお、符号９７は、モータ９５と可動ガイド部材７１の背面との間のギャップを確保するためのスペーサである。
各モータ９０、９５は、制御装置によってオンオフ制御され、所定のタイミングにてアーム５１、５２及び分割電飾片２２、２３を昇降させたり、開閉させたり、分割電飾片内のＬＥＤを任意のタイミングで点灯、消灯させる。
この電飾装飾体によれば、シンプル、且つ占有スペースをとらないコンパクトな構造でありながら、ギミックの変形による演出に加えて、ハーフミラー、図柄、ＬＥＤを有効に活用して電飾効果を発揮することができる。即ち、前部ＬＥＤのみを発光させた場合にはその光はハーフミラーで反射するため、前方からハーフミラーを視認した場合には鏡面として見える。一方、後部ＬＥＤのみを発光させた場合にはハーフミラーと後部ＬＥＤとの間に位置する像を前方から視認することができる。従って、シンプル且つコンパクトな構成でありながら、各ＬＥＤを点灯制御するだけの操作により、ギミック内に視認される状況を急激に変化させて演出効果を高めることが可能となる。
【００２１】
次に、図１３（ａ）及び（ｂ）は本発明の電飾装飾体の他の構成例を示す正面図、及び側部縦断面図であり、この電飾装飾体２０は、プリント基板４６、及び蓋４７に夫々互いに連通する透光領域（貫通穴、或いは透明部）４６Ａ、４７Ａを形成することにより、視認窓３１から内部を視認した場合に、この透光領域４６Ａ、４７Ａを介して背面側に位置する図柄表示装置９の液晶画面を認識できるように構成されている。つまり、各分割装飾片２２、２３を構成する各プリント基板４６、及び蓋４７に夫々透光領域４６Ａ’、４７Ａ’を形成することにより、図１に示すように２つの分割電飾片２２、２３が近接した状態にある時に、大きな開口面積を有した透光領域４６Ａ、４７Ａが形成される。この透光領域４６Ａ、４７Ａの背後には図柄表示装置９の液晶画面が位置しているため、透光領域４６Ａ、４７Ａに対応する液晶画面に「愛している」等の文字や、その他の図柄を表示することにより、電飾装飾体の動作、図柄４２ａ、ＬＥＤの点滅等の保管の構成要素による演出と併せた多用な演出効果を発揮させることが可能となる。
なお、透光領域４６Ａ、４７Ａは、プリント基板４６、蓋４７に夫々設けた貫通穴であってもよいし、透明部（半透明を含む）であってもよい。蓋４７全体を予め透明としてもよいが、各ＬＥＤ４０、４５からの発光による演出効果（絵柄４２ａを強調する効果）を発揮させるためには、蓋４７は反射率の高いミラーであったり、逆に反射率の低い材料であることが好ましいので、透光領域４６Ａに対応する蓋４７の領域だけを透光領域とするのが好ましい。
【００２２】
また、蓋４７は必須ではなく、蓋４７を設けない場合には、透光領域はプリント基板４６のみに設けることとなる。
図示の例では、プリント基板４６を各絵柄４２ａの外側に相当する位置にのみ配置し、透明部材４２の背面の大半を蓋４７と直接対面させた例を示したが、プリント基板の面積、即ち透光領域４６Ａの面積は任意に設定することができ、種々のバリエーションが可能である。
図示した例では、絵柄４２ａを回避した部位に透光領域４６Ａ、４７Ａを形成したが、絵柄を含む部位に透光領域を形成してもよい。また、図示した透光領域は比較的広い面積に渡って形成したが、透光領域を小面積とし、これを散点状に配置して、液晶画面上の映像、発光等を各透光領域を介して視認できるように構成してもよい。
また、各分割装飾片２２、２３に透光領域４６Ａ’、４７Ａ’が形成されているため、分割装飾片が接近している場合のみならず、離間している状態においても透光領域を介して背面側の液晶画面上の映像を視認させるようにすることができる。
【００２３】
このように本実施形態では、透光部材４２の後方に配置されるプリント基板４６に透光領域を設けて電飾装飾体の背面側に位置する他の盤面部品を視認するように構成した。これにより、背面側の盤面部品の動作、映像とのコラボレーションを実現することが可能となる。
また、アーム及び分割電飾片の移動方向は上下方向に限らず、横方向、斜め方向等、任意の方向に直線移動する構成であってもよい。
上記実施形態では、ギミック完成体を２つの分割電飾片から構成したが、これは一例に過ぎず、本発明の電飾装飾体は３個以上の分割電飾片を用いて構成してもよい。
また、本発明の電飾装飾体は、遊技盤３に装備されることによって遊技盤ユニットを構成する。遊技盤ユニットは、パチンコ遊技機、スロットマシン等の遊技機に適用することができる。
【符号の説明】
【００２４】
１…パチンコ遊技機、２…枠、３…遊技盤、３ａ…開口、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…電飾装飾体、２１…ギミック完成体、２２、２３…分割電飾片、３０…中空ケース、３１…視認窓、３５…ハーフミラー、４０…前部ＬＥＤ、４２…透光部材、４２ａ…絵柄、４５…後部ＬＥＤ、４６…プリント基板、４７…蓋、４６Ａ、４７Ａ…透光領域、４６Ａ’、４７Ａ’…透光領域、５０…ハーフミラー、５０…駆動機構、５１…アーム、５１、５２…アーム、５３…ギヤ部、５３ａ…軸穴、５４…ギヤ部、５５…操作レバー、５６…出力ギヤ、６０…支持機構、６１…固定ガイド部材、６１ａ…ストッパ、６５…固定ガイド部材、６５ａ…壁部、６５ｂ…壁部、６６…長穴、７０…可動ガイド部材、７０ａ…下部突起、７０ｂ…回動軸、７１…可動ガイド部材、７１ａ…下部突起、７２…ラックギヤ、８０…前板、８１…後板、８１ａ…長穴、８１ｂ…開口、８１ｃ…開口、８１ｄ…長穴、９０…モータ、９１…出力ギヤ、９５…昇降用モータ、９５…回動用モータ
【図１】
2011110376.tif 000003
【図２】
2011110376.tif 000004
【図３】
2011110376.tif 000005
【図４】
2011110376.tif 000006
【図５】
2011110376.tif 000007
【図６】
2011110376.tif 000008
【図７】
2011110376.tif 000009
【図８】
2011110376.tif 000010
【図９】
2011110376.tif 000011
【図１０】
2011110376.tif 000012
【図１１】
2011110376.tif 000013
【図１２】
2011110376.tif 000014
【図１３】
2011110376.tif 000015